(57)【要約】      （修正有）【課題】用者が自ら異なる模様や色、スタイルに交換できる、ペン軸を提供する。【解決手段】ペン軸は主に、内カバー体１０、少なくとも１つの外カバー体２０、着脱式固定キャップ３０を含み、そのうち、前記内カバー体は下端近くの外側壁面上に段差部１１が形成され、各前記少なくとも１つの外カバー体は内カバー体の外層に被着され、その下端が前記内カバー体の段差部に当接され、前記着脱式固定キャップは前記内カバー体の上端に被着され、前記外カバー体の脱落を防止する位置決め作用を構成し、前記外カバー体を簡単に交換するだけでペン本体の模様や色、スタイルを変化させることができる。【選択図】図３
0003151730.tif 000002
【実用新案登録請求の範囲】
【請求項１】
内カバー体、少なくとも１つの外カバー体、着脱式固定キャップを含み、前記内カバー体がペン芯を収容するために用いられ、下端近くの外側壁面上に段差部が形成され、各前記少なくとも１つの外カバー体が前記内カバー体の外層に被着され、その下端が前記内カバー体の段差部に当接され、前記着脱式固定キャップは前記内カバー体の上端に被着され、かつ前記外カバー体に対し脱落防止の位置決め作用を構成することを特徴とする、ペン軸。        
【請求項２】
前記内カバー体の内側壁面上に内ねじ山部が設けられ、前記着脱式固定キャップに前記内カバー体を相対して伸入させる外ねじ山部が設けられ、前記外ねじ山部と前記内カバー体の内ねじ山部が相互に螺合されることを特徴とする、請求項１に記載のペン軸。
【請求項３】
前記着脱式固定キャップにあらかじめ少なくとも１つのペン芯を挿入したことを特徴とする、請求項１または２に記載のペン軸。
【請求項４】
前記内カバー体の外側壁面上に少なくとも１つの凸部が設けられ、前記少なくとも１つの外カバー体に少なくとも１つの凹部が対応して設けられ、前記内カバー体の凸部と相互に嵌入されることを特徴とする、請求項１または２に記載のペン軸。
【請求項５】
前記内カバー体の外側壁面上に少なくとも１つの凸部が設けられ、前記少なくとも１つの外カバー体に少なくとも１つの凹部が対応して設けられ、前記内カバー体の凸部と相互に嵌入され、前記着脱式固定キャップに少なくとも１つのペン芯があらかじめ挿入されたことを特徴とする、請求項１または２に記載のペン軸。
【考案の詳細な説明】
【技術分野】
【０００１】
本考案は筆記具のペン軸の改良に関し、特に、使用者が自ら異なる柄や色、スタイルに交換することができる、ペン軸に関する。
【背景技術】
【０００２】
ペンは、日常生活において最も便利で使用率が高い筆記用具の１つであるため、学生やサラリーマン、作業員、営業員、そして一般家庭の主婦に至るまで、経常的にペンを使用する。一般にペンは筆記に供するペン芯を具備している必要があるほか、便利に握持できるペン軸を備えていなければならない。ペン軸については、多くのペンがペン軸のスタイル、色、模様などの設計で異なる視覚的美観のペンを形成し、市場における競争力を向上しようとしている。
【０００３】
一般消費者も異なる使用上のニーズにより、異なる筆記性質や色のペンを購入し、さまざまな場面で使用しているため、異なる機能、色のペンが消費者の選択に供されており、中には各種異なるペン芯を備えたシリーズ製品もあり、消費者が自らペン芯を交換して使用できるようにしている。
【０００４】
しかしながら、ペンの本体の外観的特徴は主にペン軸が構成する模様や色、スタイル等の設計が主であるため、一部の消費者は同じ機能やペンの色で、ペン本体の模様や色が異なるペンを複数購入し、さまざまな場面に組み合わせて使用しているが、これでは購入費用が増加するだけでなく、収納や携帯上の不便も生じる。
【考案の概要】
【考案が解決しようとする課題】
【０００５】
本考案の主な目的は、使用者が自ら異なる模様や色、スタイルに交換することができる、ペン軸を提供することにある。      
【課題を解決するための手段】
【０００６】
上掲の目的を達するため、本考案のペン軸は主に、内カバー体、少なくとも１つの外カバー体、着脱式固定キャップを含み、そのうち、前記内カバー体は主にペン芯を収容するために用いられ、下端近くの外側壁面上に段差部が形成され、各前記少なくとも１つの外カバー体は内カバー体の外層に被着され、その下端が前記内カバー体の段差部に当接され、前記着脱式固定キャップは前記内カバー体の上端に被着され、前記外カバー体が脱落しないよう位置決めする作用を構成する。
【考案の効果】
【０００７】
これにより、前記ペン軸は前記少なくとも１つの外カバー体をスタイル、塗装の主体として利用し、消費者は前記着脱式固定キャップを簡単に着脱させることで異なるスタイル、図案の外カバー体を前記内カバー体の外層に取り付けて使用することができ、使用者が自ら異なるペン本体の模様や色、スタイルに交換できるペン軸が提供される。        
【図面の簡単な説明】
【０００８】
【図１】本考案の使用状態の立体外観図である。
【図２】本考案の別の使用状態の立体外観図である。
【図３】本考案の立体分解図である。
【図４】本考案の断面図である。
【考案を実施するための形態】
【０００９】
本考案の特徴について、以下、本考案の図面および実施例に基づき詳細に説明する。
【００１０】
図１と図２に示すように、本考案のペン軸は、内カバー体１０、少なくとも１つの外カバー体２０、着脱式固定キャップ３０を組み立てて構成され、前記外カバー体２０を簡単に交換する動作でペン本体の模様や色、スタイルを変化させることができる。
【００１１】
同時に図３と図４に示すように、前記内カバー体１０は主にペン芯４０を収容するために用いられ、その下端近くの外側壁面上に段差部１１が形成され、実施時には、前記内カバー体１０の内側壁面上に内ねじ山部１２が設置され、かつその外側壁面上に少なくとも１つの凸部１３が設置される。
【００１２】
各前記少なくとも１つの外カバー体２０は前記内カバー体１０の外層に被着され、その下端が前記内カバー体１０の段差部１１に当接され、かつ少なくとも１つの凹部２１が前記内カバー体１０の凸部１３に対応して設けられ、前記凸部１３と相互に嵌入されて前記外カバー体２０が任意に回動しないよう規制される。
【００１３】
前記着脱式固定キャップ３０は前記内カバー体１０の上端に被着され、かつ前記外カバー体２０が脱落しないよう位置決めする作用を構成する。実施時において前記着脱式固定キャップ３０には前記内カバー体１０が相対して伸入される外ねじ山部３１が形成され、前記外ねじ山部３１と前記内カバー体１０の前記内ねじ山部１２が相互に螺合され、前記着脱式固定キャップ３０と前記内カバー体１０の組み立てが構成される。
【００１４】
これにより、本考案のペン軸全体は、前記少なくとも１つの外カバー体をスタイル、塗装の主体として利用し、消費者は前記着脱式固定キャップ３０を簡単に着脱する動作を利用し、異なるスタイルや図案の外カバー体２０を選択して前記内カバー体１０の外層に取り付けて使用でき、ペン本体の模様や色、スタイルを簡単に変化させることができる。
【００１５】
特に、具体的な実施時は、前記着脱式固定キャップ３０箇所にあらかじめ少なくとも１つのペン芯４０を挿入し、前記着脱式固定キャップ３０と前記内カバー体１０を相互に組み立てると、ペン芯４０を備えた筆記具を構成することができる。
【００１６】
上述をまとめると、本考案は実行可能なペン軸を提供するものであり、法に基づきここに実用新案登録を出願するものである。本考案の技術内容及び技術的特徴はすでに上述のように開示したが、本項技術を熟知した人物であれば本考案の開示に基づいて各種本考案の要旨を逸脱しない差し替えや修飾が可能である。このため、本考案の保護範囲は実施例に開示したものに限られず、各種本考案の要旨を逸脱しない差し替えや修飾も含むものとし、かつ下の実用新案登録請求の範囲に含まれるものとする。
【符号の説明】
【００１７】
１０      内カバー体
１１      段差部
１２      内ねじ山部
１３      凸部
２０      外カバー体
２１      凹部
３０      着脱式固定キャップ
３１      外ねじ山部
４０      ペン芯
【図１】
0003151730.tif 000003
【図２】
0003151730.tif 000004
【図３】
0003151730.tif 000005
【図４】
0003151730.tif 000006